(57)【要約】【課題】  針孔に糸を通す為の整合操作に視力や巧拙の個人差が無く、誰でも簡単、且つ、敏速に糸を通す事が出来、且つ、構造が簡単で壊れ難く、安価に製造出来る糸通し器及び糸通し方法を開発・提供する事にある。【解決手段】  糸通し器は基板上面のほぼ中央に位置し、止めネジ・ナット・ワッシャー等の係止部材で成る回動軸部を中心に回動可能な糸通し具と回動不能に固着した押さえ板を重合して設け、且つ、該基板は一端に取手部と他端に糸通し具の糸通し部中心線に対して水平に設けた針摺動ガイドと針摺動ガイドに対して垂直に設けた針孔整合溝と針孔方向調整用Ｙ形溝を設け、且つ、該糸通し具は保持板と保持板の先端部に針孔に簡単に貫通可能な弾性のある細かい鋼線で、先端部がＶ字形の菱形環状に形成して設けた糸通し部とで成り、且つ、該押さえ板は透明アクリル等の樹脂製で先端部に針が容易に摺動可能なテーパー状の折り曲げ部を設けたものである。【選択図】  図１
2006255273.tif 000002
【特許請求の範囲】
【請求項１】
糸を簡単に針孔に通す為の糸通し器であって、該糸通し器は基板（２）上面のほぼ中央に位置し、止めネジ（Ｂ）・ナット（Ｎ）・ワッシャー（Ｗ）等の係止部材で成る回動軸部（Ｃ）を中心に回動可能な糸通し具（３）と回動不能に固着した押さえ板（１）を重合して設け、且つ、該基板（２）は一端に取手部（２ｅ）と他端に糸通し具（３）の糸通し部（３ａ）中心線に対して水平に設けた針摺動ガイド（２ｂ）と針摺動ガイド（２ｂ）に対して垂直に設けた針孔整合溝（２ａ）と針孔方向調整用Ｙ形溝（２ｃ）を設け、且つ、該糸通し具（３）は保持板（３ｂ）と保持板の先端部に針孔（ＮＥａ）に簡単に貫通可能な弾性のある細かい鋼線で、先端部がＶ字形の菱形環状に形成して設けた糸通し部（３ａ）とで成り、且つ、該押さえ板（１）は透明アクリル等の樹脂製で先端部に針が容易に摺動可能なテーパー状の折り曲げ部（１ａ）を設けた事を特徴とする糸通し器。
【請求項２】
基板（２）の他端に設けた針孔整合溝（２ａ）は針孔（ＮＥａ）と糸通し具（３）の糸通し部（３ａ）中心線までの高さが同一に成る様、基板（２）上面部から針孔整合溝（２ａ）の底面までを所定深さ（Ｈ）に設け、且つ、針孔への糸通し部挿入を簡単、且つ、確実に行う為に、側板（２ｆ）内面からテーパー状に所定角度（β）に折り曲げて設けた傾斜部間に所定寸法（Ｙ）の水平面を設け、且つ、該針孔方向調整用Ｙ形溝（２ｃ）は、針孔整合溝（２ａ）中心部の延長線上に位置し、針摺動ガイド（２ｂ）の外側に設けて針（ＮＥ）頭部を挿入時に針孔（ＮＥａ）が針摺動ガイド（２ｂ）の長手方向に対して同一方向に調整可能に設けた事を特徴とする請求項１記載の糸通し器。
【請求項３】
前記透明押さえ板（１）の先端部に拡大鏡の機能を有する凸レンズ構造（ＣＬ）を設け、糸通し具（３）の糸通し部（３ａ）先端と針孔（ＮＥａ）を拡大描写し、針孔（ＮＥａ）への挿入を容易にした事を特徴とする請求項１及び請求項２及び請求項３記載の糸通し器。
【請求項４】
針（ＮＥ）の頭部を針孔方向調整用Ｙ形溝（２ｃ）部に上方向から下方向に押圧しながら挿入して針孔（ＮＥａ）の向きを強制的に調整後、針孔整合溝（２ａ）に沿って針孔（ＮＥａ）を糸通し部（３ａ）先端と一致する様に上下位置調整し、且つ、針頭部を針摺動ガイド（２ｂ）に沿わせながら平行移動させて嵌挿させ、且つ、該糸通し具（３）を手前方向に所定角度（α）程回動させて糸通し部（３ａ）に糸（Ｔ）を通した後、針（ＮＥ）を糸通し部（３ａ）の先端方向にずらしながら移動して針孔（ＮＥａ）に糸（Ｔ）を通す事を特徴とする糸通し方法。
【発明の詳細な説明】
【技術分野】
【０００１】
この発明は、裁縫用針の針孔に糸を通す為の糸通し器及び糸通し方法に関するものである。
【背景技術】
【０００２】
周知の通り、小さい針孔に剛性のない柔らかい糸先を自由空間内で整合させる事は、視力操作の巧拙によって困難さに個人差が多く、併せて整合したとしても糸の毛羽立ちが針孔に糸をスムーズに貫通するのを阻害する事が多い。
【０００３】
そして、上記の様な糸通しの問題点を解決する為に、従来から使用されている糸通し具や糸通し器には二つのタイプがある。その一つは広く古くから使用されている針孔に貫通可能な弾性のある細かい鋼線で先端部がＶ字形に形成された菱形環状の糸通し部を保持板の一端に突出する様に取り付け、細線で構成された菱形環状部の弾性によって針孔貫通時は縮小して針孔を通過し、貫通後は広がって元の大きさに復元した菱形環状部に糸を通し、糸と一緒に針を引き抜き、糸通しを完成するものであり、糸の柔らかさを鋼線の剛性に代置し、針孔を針の外部に拡大代置する間接的な糸通し方法であり、整合操作は手動で行う。又、もう一つは、糸通し部が薄く細かい鋼線の先端に横Ｖ字形に凹部を持ち、その先端の凹部に糸を引っ掛け直接糸と共に針孔に貫通して糸通しを完成する方式であり、このタイプは糸通し部も針孔と同様に小さく、先端も鋭利で整合並びに貫通が難しい為、糸通し部と針孔の整合機構に重点を置いた直接的糸通し方法であり、整合操作は専ら使用器具の具有する整合機構に依存する。
【０００４】
又、後者のタイプの糸通し器の共通する原理は、概略同じ器体内に針孔を下に向けて針を一定の位置に保持する有底で針径大の内周を持つ針挿入筒と薄くて細かい鋼板の先端を横Ｖ字形に切り欠いた凹部を持つ所定の長さを有する糸押し出し部を固定した摺動機構を持ち、摺動機構を作動させる時糸通し部が、糸押し出し部から針挿入筒の底部に近く、概略針孔位置の高さに対応して糸押し出し部の進行方向に直角に対置して設けられた貫通孔を結んで一線上に直結する誘導溝に沿って進み、針挿入筒の直前の誘導溝上に置かれた糸を引っ掛け糸と共に針挿入筒内の針孔を貫通し、針挿入筒外に突出し、糸押し出し部が元の位置に復元した状態で針を針挿入筒から引き出せば糸通しが完成する機構に成っている。
【０００５】
この発明に関連し、これまでに出願されている従来技術の特許文献を紹介する。（特許文献１〜５参照。）
【特許文献１】実開平５−００１４７５
【特許文献２】実開平７−０３９７８４
【特許文献３】特開平８−２８９９８９
【特許文献４】特開２０００−２３７４８４
【特許文献５】特開２００１−３４６４９０
【発明の開示】
【発明が解決しようとする課題】
【０００６】
そこで、上記課題を解決する為に、この発明は針孔に糸を通す為の整合操作に視力や巧拙の個人差が無く、誰でも簡単、且つ、敏速に糸を通す事が出来、且つ、構造が簡単で壊れ難く、安価に製造出来る糸通し器及び糸通し方法を開発・提供する事にある。
【課題を解決するための手段】
【０００７】
この課題を解決する為の手段として、糸通し器は基板上面のほぼ中央に位置し、止めネジ・ナット・ワッシャー等の係止部材で成る回動軸部を中心に回動可能な糸通し具と回動不能に固着した押さえ板を重合して設け、且つ、該基板は一端に取手部と他端に糸通し具の糸通し部中心線に対して水平に設けた針摺動ガイドと針摺動ガイドに対して垂直に設けた針孔整合溝と針孔方向調整用Ｙ形溝を設け、且つ、該糸通し具は保持板と保持板の先端部に針孔に簡単に貫通可能な弾性のある細かい鋼線で、先端部がＶ字形の菱形環状に形成して設けた糸通し部とで成り、且つ、該押さえ板は透明アクリル等の樹脂製で先端部に針が容易に摺動可能なテーパー状の折り曲げ部を設けたものである。
【０００８】
又、基板の他端に設けた針孔整合溝は針孔と糸通し具の糸通し部中心線までの高さが同一に成る様、基板上面部から針孔整合溝の底面までを所定深さに設け、且つ、針孔への糸通し部挿入を簡単、且つ、確実に行う為に、側板内面からテーパー状に所定角度に折り曲げて設けた傾斜部間に所定寸法の水平面を設け、且つ、該針孔方向調整用Ｙ形溝は、針孔整合溝中心部の延長線上に位置し、針摺動ガイドの外側に設けて針頭部を挿入時に針孔が針摺動ガイドの長手方向に対して同一方向に調整可能に設けたものである。
【０００９】
又、透明押さえ板の先端部に拡大鏡の機能を有する凸レンズ構造を設け、糸通し具の糸通し部先端と針孔を拡大描写し、針孔への挿入を容易にしたものである。
【００１０】
又、針の頭部を針孔方向調整用Ｙ形溝部に上方向から下方向に押圧しながら挿入して針孔の向きを強制的に調整後、針孔整合溝に沿って針孔を糸通し部先端と一致する様に上下位置調整し、且つ、針頭部を針摺動ガイドに沿わせながら平行移動させて嵌挿させ、且つ、該糸通し具を手前方向に所定角度程回動させて糸通し部に糸を通した後、針を糸通し部の先端方向にずらしながら移動して針孔に糸を通すものである。
【発明の効果】
【００１１】
この発明の効果として、糸通し器は基板上面のほぼ中央に位置し、止めネジ・ナット・ワッシャー等の係止部材で成る回動軸部を中心に回動可能な糸通し具と回動不能に固着した押さえ板を重合して設け、且つ、該基板は一端に取手部と他端に糸通し具の糸通し部中心線に対して水平に設けた針摺動ガイドと針摺動ガイドに対して垂直に設けた針孔整合溝と針孔方向調整用Ｙ形溝を設け、且つ、該糸通し具は保持板と保持板の先端部に針孔に簡単に貫通可能な弾性のある細かい鋼線で、先端部がＶ字形の菱形環状に形成して設けた糸通し部とで成り、且つ、該押さえ板は透明アクリル等の樹脂製で先端部に針が容易に摺動可能なテーパー状の折り曲げ部を設け、又、基板の他端に設けた針孔整合溝は針孔と糸通し具の糸通し部中心線までの高さが同一に成る様、基板上面部から針孔整合溝の底面までを所定深さに設け、且つ、針孔への糸通し部挿入を簡単、且つ、確実に行う為に、側板内面からテーパー状に所定角度に折り曲げて設けた傾斜部間に所定寸法の水平面を設け、且つ、該針孔方向調整用Ｙ形溝は、針孔整合溝中心部の延長線上に位置し、針摺動ガイドの外側に設けて針頭部を挿入時に針孔が針摺動ガイドの長手方向に対して同一方向に調整可能に設け、又、基板の他端に設けた針孔整合溝は針孔と糸通し具の糸通し部中心線までの高さが同一に成る様、基板上面部から針孔整合溝の底面までを所定深さに設け、且つ、針孔への糸通し部挿入を簡単、且つ、確実に行う為に、側板内面からテーパー状に所定角度に折り曲げて設けた傾斜部間に所定寸法の水平面を設け、且つ、該針孔方向調整用Ｙ形溝は、針孔整合溝中心部の延長線上に位置し、針摺動ガイドの外側に設けて針頭部を挿入時に針孔が針摺動ガイドの長手方向に対して同一方向に調整可能に設けた事で、誰もが簡単に、且つ、効率良く安全に糸通しが出来、又、視力や操作の巧拙による糸通し操作の個人差を軽減する事が出来る。
【００１２】
又、部品点数が少なく、構造が簡単で、入手し易い材料や部品を使用する事で安価に製造する事が出来る等、極めて有益なる効果を奏するものである。
【発明を実施するための最良の形態】
【００１３】
この発明の最良の形態として、針径や針孔の大きさはメーカや使用目的によって若干の誤差がある為、針孔方向調整用Ｙ形溝及び針孔整合溝の幅・高さ寸法はバラツキを考慮した最適寸法に設定する事が重要である。
【実施例１】
【００１４】
そこで、この発明の一実施例を図１〜図３に基づいて詳述すると、糸を簡単に針孔に通す為の糸通し器であって、該糸通し器は基板（２）上面のほぼ中央に位置し、止めネジ（Ｂ）・ナット（Ｎ）・ワッシャー（Ｗ）等の係止部材で成る回動軸部（Ｃ）を中心に回動可能な糸通し具（３）と回動不能に固着した押さえ板（１）を重合して設け、且つ、該基板（２）は一端に取手部（２ｅ）と他端に糸通し具（３）の糸通し部（３ａ）中心線に対して水平に設けた針摺動ガイド（２ｂ）と針摺動ガイド（２ｂ）に対して垂直に設けた針孔整合溝（２ａ）と針孔方向調整用Ｙ形溝（２ｃ）を設け、且つ、該糸通し具（３）は保持板（３ｂ）と保持板の先端部に針孔（ＮＥａ）に簡単に貫通可能な弾性のある細かい鋼線で、先端部がＶ字形の菱形環状に形成して設けた糸通し部（３ａ）とで成り、且つ、該押さえ板（１）は透明アクリル等の樹脂製で先端部に針が容易に摺動可能なテーパー状の折り曲げ部（１ａ）を設けた事を特徴とする糸通し器から構成される。
【００１５】
又、基板（２）の他端に設けた針孔整合溝（２ａ）は針孔（ＮＥａ）と糸通し具（３）の糸通し部（３ａ）中心線までの高さが同一に成る様、基板（２）上面部から針孔整合溝（２ａ）の底面までを所定深さ（Ｈ）に設け、且つ、針孔への糸通し部挿入を簡単、且つ、確実に行う為に、側板（２ｆ）内面からテーパー状に所定角度（β）に折り曲げて設けた傾斜部間に所定寸法（Ｙ）の水平面を設け、且つ、該針孔方向調整用Ｙ形溝（２ｃ）は、針孔整合溝（２ａ）中心部の延長線上に位置し、針摺動ガイド（２ｂ）の外側に設けて針（Ｎ）頭部を挿入時に針孔（ＮＥａ）が針摺動ガイド（２ｂ）の長手方向に対して同一方向に調整可能に設けた事を特徴とする糸通し器から構成される。
【００１６】
又、透明押さえ板（１）の先端部に拡大鏡の機能を有する凸レンズ構造（ＣＬ）を設け、糸通し具（３）の糸通し部（３ａ）先端と針孔（ＮＥａ）を拡大描写し、針孔（ＮＥａ）への挿入を容易にした事を特徴とする糸通し器から構成される。
【００１７】
次に、この発明の構造について概要を説明すると、この発明は既設の糸通し具（３）を使用して従来の問題点を解消する為に新たに針孔（ＮＥａ）の向きの調整と糸通し具（３）の糸通し部（３ａ）先端を針孔（ＮＥａ）に簡単、且つ、確実に通す為の針孔位置調整及び高さ調整機能を追加する為、中央部に止めネジ（Ｂ）・ナット（Ｎ）・ワッシャー（Ｗ）等の係止部材で構成する回動軸部（Ｃ）を設けた基板（２）上に回動用の軸孔を追加工した糸通し具（３）と押さえ板（１）を重合し、且つ、該糸通し具（３）は回動軸部（Ｃ）を中心にして所定角度（α）程回動可能にし、且つ、該押さえ板（１）は回動不要な為、針摺動ガイド（２ｂ）の端面部に固定する用に敢えて切り欠き部を設けて回動しない様にしている。又、回動軸部（Ｃ）に設けた止めネジ（Ｂ）・ナット（Ｎ）・ワッシャー（Ｗ）等の係止部材は糸通し具（３）を回動する際に、止めネジを軽く緩めて回動し易くする為である。又、基板のほぼ中央に設けた回動軸部（Ｃ）は針径サイズのバラツキに対応可能にする為、長孔に形成している
【００１８】
又、糸通し具（３）が回動する主な目的は上記の糸通し部（３ａ）へ糸を通す為と、もう一つは針（ＮＥ）の種類や大きさによって針（ＮＥ）の頭部から針孔（ＮＥａ）までの距離が若干異なる為、上下方向に回動させて微調整する為である。又、基板の取手部に設けた円形の切り欠き部は糸通し具（３）を回動させる際に糸通し具（３）の表裏両面を指で摘まんで回動し易くしたものである。
【００１９】
又、針孔方向調整用Ｙ形溝（２ｃ）部は針（ＮＥ）の頭部を上から下方向へ向けて押し込む事で強制的に針孔（ＮＥａ）の向きを針摺動ガイド（２ｂ）の長手方向と同一方向にするもので、溝の内幅寸法（Ｘ）は針頭部に適合した寸法に設定されている。そして、更に針孔整合溝部（２ａ）は針孔（ＮＥａ）に糸通し具（３）の糸通し部（３ａ）先端が確実に挿入される様、所定寸法（Ｙ）の水平部を設け、更に針孔整合溝部（２ａ）の傾斜部基点から糸通し部（３ａ）先端までの所定寸法（Ｚ）は針径の約１／２程度に設定している。又、滑らかに針（ＮＥ）を針摺動ガイド（２ｂ）に沿って平行移動させる為に所定角度（β）のテーパー状に折り曲げた傾斜部を設けている。
【００２０】
次に、この発明の糸通しの作業手順1)〜6)について説明すると、図５に示す様に、針（ＮＥ）の頭部を糸通し器の針孔方向調整用Ｙ形溝（２ｃ）部に上方向から下方向に押圧しながら挿入して針孔（ＮＥａ）の向きを強制的に調整後、針孔整合溝（２ａ）に沿って針孔（ＮＥａ）を糸通し部（３ａ）先端と一致する様に上下位置調整し、且つ、針頭部を針摺動ガイド（２ｂ）に沿わせながら平行移動させて嵌挿させ、且つ、該糸通し具（３）を手前方向に所定角度（α）（約３０度〜４５度程度）程回動させて糸通し部（３ａ）に糸（Ｔ）を通した後、針（ＮＥ）を糸通し部（３ａ）の先端方向にずらしながら移動すると自然に針孔（ＮＥａ）に糸（Ｔ）が通る仕組みに成っている。
【実施例２】
【００２１】
その他の実施例として、高齢者や眼の不自由な方の為の対策として、図６に示す様に、この発明の押さえ板（１）の先端部に拡大鏡の機能を有する凸レンズ構造（ＣＬ）を設け、糸通し具（３）の糸通し部（３ａ）先端と針孔（ＮＥａ）を拡大描写し、針孔（ＮＥａ）への挿入を更に容易にしたものである。
【産業上の利用可能性】
【００２２】
この発明の糸通し器は、誰もが簡単に、且つ、効率良く安全に糸通しが出来、又、視力や操作の巧拙による糸通し操作の個人差を軽減する事が出来、又、部品点数が少なく、構造が簡単で、入手し易い材料や部品を使用する事で安価に製造する事が出来る為、多くの市場に寄与する点で産業上の利用可能性を有する。
【図面の簡単な説明】
【００２３】
【図１】この考案の一実施例を示し、（Ａ）は平面図で、（Ｂ）は一部欠截正面図である。
【図２】この考案の一実施例を示し、（Ａ）は図１（Ａ）のａ−ａ矢視拡大断面図で、（Ｂ）は図１（Ａ）のｂ−ｂ矢視拡大断面図である。
【図３】この考案の一実施例を示し、図１（Ａ）のｃ−ｃ矢視拡大断面図である。
【図４】この考案の使用例を示し、（Ａ）は針孔へ糸通し部先端を通す時の平面図で、（Ｂ）は一部欠截正面図である。
【図５】この考案の使用例を示し、糸通し作業手順書を示す。
【図６】この考案のその他の実施例を示し、（Ａ）は平面図で、（Ｂ）は一部欠截正面図である。
【符号の説明】
【００２４】
１  押さえ板
１'  凸レンズ付き押さえ板
１ａ  折り曲げ部
２  基板
２ａ  針孔整合溝
２ｂ  針摺動ガイド
２ｃ  針孔方向調整用Ｙ形溝
２ｄ  切り欠き部
２ｅ  取手部
２ｆ  側板
３  糸通し具
３ａ  糸通し部
３ｂ  保持板
Ｂ  止めネジ
Ｃ  回動軸部
Ｈ  所定深さ
Ｎ  ナット
ＮＥ  針
ＮＥａ  針孔
Ｔ  糸
Ｗ  ワッシャー
Ｘ  針孔方向調整用Ｙ形溝部の内幅寸法
Ｙ  所定寸法
Ｚ  所定寸法
α  所定角度
β  所定角度
【図１】
2006255273.tif 000003
【図２】
2006255273.tif 000004
【図３】
2006255273.tif 000005
【図４】
2006255273.tif 000006
【図５】
2006255273.tif 000007
【図６】
2006255273.tif 000008
【手続補正書】
【提出日】平成17年4月8日(2005.4.8)
【手続補正１】
【補正対象書類名】明細書
【補正対象項目名】００２３
【補正方法】変更
【補正の内容】
【００２３】
【図１】この発明の一実施例を示し、（Ａ）は平面図で、（Ｂ）は一部欠截正面図である。
【図２】この発明の一実施例を示し、（Ａ）は図１（Ａ）のａ−ａ矢視拡大断面図で、（Ｂ）は図１（Ａ）のｂ−ｂ矢視拡大断面図である。
【図３】この発明の一実施例を示し、図１（Ａ）のｃ−ｃ矢視拡大断面図である。
【図４】この発明の使用例を示し、（Ａ）は針孔へ糸通し部先端を通す時の平面図で、（Ｂ）は一部欠截正面図である。
【図５】この発明の使用例を示し、糸通し作業手順書を示す。
【図６】この発明のその他の実施例を示し、（Ａ）は平面図で、（Ｂ）は一部欠截正面図である。